(57)【特許請求の範囲】
【請求項１】
鍵盤と、
前記鍵盤の操作に応じた音信号を出力する音源と、
前記音信号のうち高い周波数帯域の音信号である第１成分を通過させる第１フィルタと、
前記音信号のうち前記第１成分よりも低い周波数帯域の音信号である第２成分を通過させる第２フィルタと、
前記第２フィルタの出力を遅延させて出力する第１遅延回路と、
前記第１遅延回路により遅延された前記第２成分を、前記第１フィルタを通過した前記第１成分と加算して出力する加算部と、
前記鍵盤よりも下側に設けられ、前記加算部から出力された音信号に応じた音を出力するスピーカと
を有し、
前記高い周波数帯域と前記低い周波数帯域との境界が、前記音源に記憶された音データに対応するアコースティック楽器の弦の長さに応じて設定される
電子鍵盤楽器。
【請求項２】
鍵盤と、
前記鍵盤の操作に応じた音信号を出力する音源と、
前記音信号のうち高い周波数帯域の音信号である第１成分を通過させる第１フィルタと、
前記音信号のうち前記第１成分よりも低い周波数帯域の音信号である第２成分を通過させる第２フィルタと、
前記音信号のうち前記第１成分よりも低くかつ前記第２成分よりも高い周波数帯域の音信号である第３成分を通過させる第３フィルタと、
前記第２フィルタの出力を遅延させて出力する第１遅延回路と、
前記第３フィルタの出力を遅延させて出力する第２遅延回路と
前記第１遅延回路により遅延された前記第２成分を、前記第１フィルタを通過した前記第１成分と加算して出力する加算部と、
前記鍵盤よりも下側に設けられ、前記加算部から出力された音信号に応じた音を出力するスピーカと
を有し、
前記第１遅延回路は、前記第２フィルタの出力を前記第３フィルタの出力よりも遅延させ、
前記加算部は、前記第１成分、前記第１遅延回路により遅延された前記第２成分、および前記第２遅延回路により遅延された前記第３成分を加算する
電子鍵盤楽器。
【請求項３】
前記加算部から出力される音信号の周波数特性を、前記第１フィルタのカットオフ周波数、前記第２フィルタのカットオフ周波数、および前記第１遅延回路における遅延量に応じて補正して出力する補正部を有し、
前記スピーカは、前記補正部により補正された音信号に応じた音を出力する
ことを特徴とする請求項１又は２に記載の電子鍵盤楽器。
【発明の詳細な説明】
【技術分野】
【０００１】
本発明は、音像の定位を制御する技術に関する。
【背景技術】
【０００２】
スピーカを有する電子鍵盤楽器が知られている。このような電子鍵盤楽器においては、設計の制約によりスピーカが鍵盤の下方に設けられていることがある。例えばアコースティックのグランドピアノでは弦およびハンマーは鍵盤のやや奥に、またアップライトピアノでは鍵盤のやや上に、それぞれ位置しており、打鍵に応じた音は弦から発せられる。これに対してスピーカが鍵盤の下方に設けられた電子鍵盤楽器では打鍵に応じた音が下から聞こえるため、演奏時の音像の位置や音の広がりがアコースティック楽器とは異なったものとなってしまう。
【０００３】
上記の問題に対して特許文献１には、本体下部に設けたメインスピーカに加えて、本体内部に前向きのスピーカを設け、さらに本体のうち鍵盤上部に開口部を設けて音響再生空間を広げる技術が記載されている。また、特許文献２には、電子鍵盤楽器に関するものではないが、テレビ放送のコンテンツにおいて人間の会話音声の定位位置を上昇させる技術が記載されている。
【先行技術文献】
【特許文献】
【０００４】
【特許文献１】実用新案登録第２５５５０６９号公報
【特許文献２】特開２０１４−１６８２２８号公報
【発明の開示】
【発明が解決しようとする課題】
【０００５】
特許文献１に記載の技術においては、スピーカやアンプの数が多くなるのでコストが増加するだけでなく、本体に開口部を設けるため本体の外観形状が制限されるという問題があった。
【０００６】
これに対し本発明は、よりアコースティック楽器に近い音像位置を有する電子鍵盤楽器を提供する。
【課題を解決するための手段】
【０００７】
本発明は、鍵盤と、前記鍵盤の操作に応じた音信号を出力する音源と、前記音信号のうち高い周波数帯域の音信号である第１成分を通過させる第１フィルタと、前記音信号のうち前記第１成分よりも低い周波数帯域の音信号である第２成分を通過させる第２フィルタと、前記第２フィルタの出力を遅延させて出力する第１遅延回路と、前記第１遅延回路により遅延された前記第２成分を、前記第１フィルタを通過した前記第１成分と加算して出力する加算部と、前記鍵盤よりも下側に設けられ、前記加算部から出力された音信号に応じた音を出力するスピーカとを有する電子鍵盤楽器を提供する。
【０００８】
この電子鍵盤楽器は、前記加算部から出力される音信号の周波数特性を、前記第１フィルタのカットオフ周波数、前記第２フィルタのカットオフ周波数、および前記第１遅延回路における遅延量に応じて補正して出力する補正部を有し、前記スピーカは、前記補正部により補正された音信号に応じた音を出力してもよい。
【０００９】
この電子鍵盤楽器は、前記音信号のうち前記第１成分よりも低くかつ前記第２成分よりも高い周波数帯域の音信号である第３成分を通過させる第３フィルタと、前記第３フィルタの出力を遅延させて出力する第２遅延回路とを有し、前記第１遅延回路は、前記第２フィルタの出力を前記第３フィルタの出力よりも遅延させ、前記加算部は、前記第１成分、前記第１遅延回路により遅延された前記第２成分、および前記第２遅延回路により遅延された前記第３成分を加算してもよい。
【発明の効果】
【００１０】
本発明によれば、電子鍵盤楽器の音像位置を、よりアコースティック楽器に近づけることができる。
【図面の簡単な説明】
【００１１】
【図１】一実施形態に係る電子鍵盤楽器１の外観を例示する図。
【図２】一実施形態に係る電子鍵盤楽器１の構成を例示する図。
【図３】ＰＥＱ１７１による補正を例示する図。
【図４】一実施形態に係る音像位置の概要を示す図。
【図５】変形例１に係る音処理部１７の構成を例示する図。
【図６】変形例２に係る電子鍵盤楽器１の構成を例示する図。
【発明を実施するための形態】
【００１２】
１．構成
図１は、一実施形態に係る電子鍵盤楽器１の外観を例示する図である。電子鍵盤楽器１は、本体１１、鍵盤１２、スピーカ１３、およびスピーカ１４を有する。本体１１は、鍵盤１２、スピーカ１３、およびスピーカ１４を含む他の構成要素を収容するものであり、例えばアップライトピアノを模した形状の筐体を含む。鍵盤１２は、演奏者（ユーザ）による演奏操作を受け付ける操作子の一例であり、複数の鍵を含む。鍵が操作されると、操作された鍵に応じた音信号を音源（図１では不図示）が生成する。音信号は音処理部（図１では不図示）で処理される。スピーカ１３およびスピーカ１４は、音処理部により処理された音信号に応じた音を出力する。この例で、スピーカ１３およびスピーカ１４は、鍵盤１２よりも下側に設けられている。なお、スピーカ１３およびスピーカ１４が鍵盤１２よりも下側にあるとは、電子鍵盤楽器１を使用状態に置いたときにスピーカ１３およびスピーカ１４が鍵盤１２よりも低い位置にあることをいう。
【００１３】
図２は、一実施形態に係る電子鍵盤楽器１の構成を例示する図である。電子鍵盤楽器１は、押鍵センサ１５、発音制御部１６、音処理部１７、および増幅器１８を有する。押鍵センサ１５は、鍵盤１２の複数の鍵のうちどの鍵が押鍵されているか検知し、押鍵された鍵を示す信号を出力する。この信号は、各鍵の押鍵量（鍵がどのくらい押し込まれているか）を示す情報を含んでいてもよい。押鍵センサ１５は、例えば、ＬＥＤおよびフォトダイオードを用いた光学式のセンサである。
【００１４】
発音制御部１６は、鍵盤１２の操作に応じて、すなわち押鍵センサ１５から出力される信号に応じて音信号を生成する。発音制御部１６は、音源１６１および音信号生成部１６２を有する。音源１６１は、各鍵に対応する音データを記憶している。ある鍵に対応する音データは、その鍵を押鍵したときに発生する音の立ち上がりから消え際までの音波形を示すデータである。各鍵に対応する音データは、右チャンネルのデータおよび左チャンネルのデータを含む。音信号生成部１６２は、押鍵センサ１５から出力された信号に応じた音データを音源１６１から読み出し、読み出された音データに応じた音信号を出力する。
【００１５】
音処理部１７は、発音制御部１６から出力された音信号を処理する。この例で、音処理部１７は、音像の位置を上に持ち上げる処理、すなわち音像をスピーカ位置より上方に定位させる処理を行う。ここでは、音像をスピーカ位置より上方に定位させるために、人間の聴覚特性を利用する。人間の聴覚には、音高が高い音は上から、音高が低い音は下から聞こえるように感じるという特徴がある。また、複数の音源から音が出力された場合に、先に聞こえた方に音像を感じるという特徴（ハース効果）もある。本実施形態においては、音信号を低域と高域に分割し、低域の信号を高域の信号よりも遅らせて出力することで、スピーカから出力される音がより高い位置から聞こえるように感じられる効果を奏する。音処理部１７は、人間の聴覚のこのような特性を利用して音像をより上方に定位させる。
【００１６】
音処理部１７は、ＰＥＱ（パラメトリックイコライザ）１７１、ＨＰＦ（High Pass Filter、高域通過フィルタ）１７２、遅延回路１７３、乗算器１７４、ＬＰＦ（Low Pass Filter、低域通過フィルタ）１７５、遅延回路１７６、乗算器１７７、加算器１７８を有する。この例で、音処理部１７は、右チャンネルの音信号および左チャンネルの音信号をそれぞれ処理する。右チャンネルの処理系と左チャンネルの処理系とを区別するときは添字ＲおよびＬを用い、両者を区別しないときは添字を用いない。ＨＰＦ１７２、遅延回路１７３、および乗算器１７４は高域の処理系であり、ＬＰＦ１７５、遅延回路１７６、および乗算器１７７は低域の処理系である。
【００１７】
発音制御部１６から出力された音信号は、まずＰＥＱ１７１に入力される。ＰＥＱ１７１は、音処理部１７から出力される音信号の周波数特性（例えばピークやディップ）を補正するための補正部の一例である。音信号の周波数特性については後述する。ＰＥＱ１７１から出力された音信号は２分割され、ＨＰＦ１７２およびＬＰＦ１７５に入力される。ＨＰＦ１７２は、音信号のうち高域の第１成分を通過させる第１フィルタの一例であり、この例ではカットオフ周波数ｆＨ以下の周波数帯域の信号を減衰させ、カットオフ周波数ｆＨ以上の周波数帯域の信号を通過させるフィルタである。遅延回路１７３は、ＨＰＦ１７２を通過した音信号（高域成分）を遅延させて出力する。乗算器１７４は、遅延回路１７３から出力された音信号に所定の係数を乗算して出力する。ＬＰＦ１７５は、音信号のうち第１成分より低域の第２成分を通過させる第２フィルタの一例であり、この例ではカットオフ周波数ｆＬ以上の周波数帯域の信号を減衰させ、カットオフ周波数ｆＬ以下の周波数帯域の信号を通過させるフィルタである。遅延回路１７６（第１遅延回路の一例）は、ＬＰＦ１７５を通過した音信号（低域成分）を遅延させて出力する。遅延回路１７６は、低域成分を高域成分よりも相対的に遅延させる。高域成分に対する低域成分の相対的な遅延量は、ハース効果を生じさせる程度の遅延量、具体的には、例えば、１〜５ｍｓｅｃ以下である。乗算器１７７は、遅延回路１７６から出力された音信号に所定の係数を乗算して出力する。乗算器１７４の係数と乗算器１７７の係数とは、典型的には等しい値（例えば両者ともに１．０）に設定されるが、音源の種類に応じて互いに異なるゲインに設定されてもよい。例えば、高域成分が少ない音源の場合、高域成分にゲインを持たせる（乗算器１７４の係数を１．０よりも大きくする）ことにより音像移動の効果を大きくすることができる。なお、ＨＰＦ１７２のカットオフ周波数ｆＨとＬＰＦ１７５のカットオフ周波数ｆＬとは通常は等しい値に設定されるが、ｆＨ＝ｆＬに限定されない。例えば、音源の周波数特性に応じて異なる関係に設定されてもよい。すなわち、音信号の倍音構造に基づいて、高域と低域を分離できるようなカットオフ周波数、例えば、ｆＬ＜ｆＨ＜２ｆＬの関係を満たすようなｆＬおよびｆＨが選択されてもよい。
【００１８】
ＨＰＦ１７２のカットオフ周波数ｆＨとＬＰＦのカットオフ周波数ｆＬは等しい値に設定されるが、フィルタの通過域外の周波数帯域であっても、おのおののフィルタのロールオフ特性に応じたレベルの信号が通過する。ＨＰＦ１７２が通過させる周波数帯域とＬＰＦ１７５が通過させる周波数帯域とが一部重なっていると、重なっている周波数帯域で信号強度が増大するピークや信号強度が減衰するディップが生じる可能性がある。これらのピークやディップの周波数や振幅は、遅延回路１７３および遅延回路１７６における遅延量にも依存する。ＰＥＱ１７１は、ＨＰＦ１７２、遅延回路１７３、ＬＰＦ１７５、および遅延回路１７６の特性に応じて生じるピークやディップを補正して出力する。すなわち、ＰＥＱ１７１は、加算器１７８から出力される音信号の周波数特性を、第１フィルタのカットオフ周波数、第２フィルタのカットオフ周波数、および第１遅延回路における遅延量に応じて補正するものである。
【００１９】
高域と低域との境界は、例えば、対応するアコースティック楽器（例えばグランドピアノ）における弦の長さに応じて設定される。具体的には、グランドピアノにおける弦の長さがしきい値よりも長い鍵域に対応する音が低域となり、弦の長さがしきい値よりも短い鍵域に対応する音が高域となるように設定される。
【００２０】
図３は、ＰＥＱ１７１による補正を例示する模式図である。この図において、横軸は周波数を、縦軸は信号強度を、それぞれ示している。曲線Ｃｏは、発音制御部１６から出力される音信号の周波数特性を示している。曲線Ｃｃは、比較例に係る周波数特性を示している。ここで比較例とは、音処理部１７のうちＰＥＱ１７１を用いない例をいう。曲線Ｃｃにおいては、曲線Ｃｏと比較して周波数ｆＤ近傍にディップ、この例では信号強度が減衰するディップが生じている。例えば人間の声のような特定の周波数帯域の音のみを出力する系では、このようなディップの発生は問題にならない場合も多い。しかし、電子楽器のように比較的広い周波数帯域に渡って平坦な周波数特性が要求される場合、このようなディップの発生は音質の劣化として認識されてしまう。一方、曲線Ｃｐは、本実施形態に係る周波数特性を示している。ＰＥＱ１７１の補正により、曲線Ｃｃと比較してディップは改善されている。すなわち、音質が改善されている。
【００２１】
再び図２を参照する。加算器１７８は、第１成分の音信号および第１成分から相対的に遅延された第２成分の音信号を加算して出力する加算部の一例である。
【００２２】
増幅器１８は、加算器１７８すなわち音処理部１７から出力された音信号を増幅して出力する。スピーカ１３およびスピーカ１４は、増幅器１８により増幅された音信号に応じた音を出力する。
【００２３】
図４は、一実施形態に係る音像位置の概要を示す図である。音像Ｓｃは、比較例に係る音像位置であり、鍵盤の中央付近の鍵を押鍵したときの音像を示している。ここで比較例とは、低域の音信号を高域の音信号に対して相対的に遅延させない例をいう。音像Ｓｐは、本実施形態に係る音像位置を示している。音像Ｓｐは、音像Ｓｃよりも相対的に上に移動している。これにより、電子鍵盤楽器１は、演奏者に対しよりアコースティック楽器に近い位置に定位された音像を提供することができる。
【００２４】
２．変形例
本発明は上述の実施形態に限定されるものではなく種々の変形実施が可能である。以下、変形例をいくつか説明する。以下の変形例のうち２つ以上のものが組み合わせて用いられてもよい。
【００２５】
２−１．変形例１
図５は、変形例１に係る音処理部１７の構成を例示する図である。音信号の分割方法は、実施形態で説明した２つの周波数帯域に分割するものに限定されず、３つ以上の周波数帯域に分割されてもよい。ここでは、低域、中域、および高域の３つの周波数帯域に音信号を分割する例を示している。図面を簡単にするため、図５は１つのチャンネルの音信号の処理系のみを示している。変形例１に係る音処理部１７は、ＰＥＱ１７０１、ＬＰＦ１７０２、遅延回路１７０３、乗算器１７０４、ＨＰＦ１７０５、ＰＥＱ１７０６、ＬＰＦ１７０７、遅延回路１７０８、乗算器１７０９、ＨＰＦ１７１０、乗算器１７１１、および加算器１７１２を有する。ＬＰＦ１７０２、遅延回路１７０３、および乗算器１７０４は低域の処理系であり、ＨＰＦ１７０５、ＰＥＱ１７０６、ＬＰＦ１７０７、遅延回路１７０８、および乗算器１７０９は中域の処理系であり、ＨＰＦ１７１０、および乗算器１７１１は高域の処理系である。
【００２６】
発音制御部１６から出力された音信号は、まずＰＥＱ１７０１に入力される。ＰＥＱ１７０１は、音処理部１７から出力される音信号の周波数特性を補正するための補正部の一例である。ＰＥＱ１７０１から出力された信号は２分割され、ＬＰＦ１７０２およびＨＰＦ１７０５に入力される。ＬＰＦ１７０２は、カットオフ周波数ｆＬ１以上の周波数帯域の信号を減衰させ、カットオフ周波数ｆＬ１以下の周波数帯域の信号を通過させるフィルタである。遅延回路１７０３（第２遅延回路の一例）は、ＬＰＦ１７０２を通過した音信号（低域成分）を遅延させる。乗算器１７０４は、遅延回路１７０３から出力された音信号に所定の係数を乗算する。
【００２７】
ＨＰＦ１７０５は、カットオフ周波数ｆＨ１以下の周波数帯域の信号を減衰させ、カットオフ周波数ｆＨ１以上の周波数帯域の信号を通過させるフィルタである。ＰＥＱ１７０６は、音処理部１７から出力される音信号の周波数特性を補正するための補正部の一例である。ＰＥＱ１７０６から出力された信号は２分割され、ＬＰＦ１７０７およびＨＰＦ１７１０に入力される。ＬＰＦ１７０７は、音信号のうち中域の第３成分を通過させる第２フィルタの一例であり、この例ではカットオフ周波数ｆＬ２以上の周波数帯域の信号を減衰させ、カットオフ周波数ｆＬ２以下の周波数帯域の信号を通過させるフィルタである。カットオフ周波数ｆＬ２は、ｆＬ２＞ｆＬ１を満たす。遅延回路１７０８（第１遅延回路の別の例）は、ＬＰＦ１７０７を通過した音信号（中域成分）を遅延させる。乗算器１７０９は、遅延回路１７０８から出力された音信号に所定の係数を乗算する。
【００２８】
ＨＰＦ１７１０は、カットオフ周波数ｆＨ２以下の周波数帯域の信号を減衰させ、カットオフ周波数ｆＨ２以上の周波数帯域の信号を通過させるフィルタである。カットオフ周波数ｆＨ２は、ｆＨ２＞ｆＨ１を満たす。乗算器１７１１は、ＨＰＦ１７１０から出力された音信号を増幅する。カットオフ周波数ｆＬ１、ｆＬ２、ｆＨ１、およびｆＨ２は、それぞれ、相対的に低域、中域、および高域の音信号を分離できるように設計される。そのカットオフ周波数はｆＬ１＝ｆＨ１、ｆＬ２＝ｆＨ２の関係となる。乗算器１７１１は、ＨＰＦ１７１０から出力された音信号に所定の係数を乗算する。乗算器１７０４、１７０９および１７１１の係数は上記の例と同様に、典型的には互いに等しい値（例えば１．０）に設定されるが、音源の種類に応じて互いに異なるゲインに設定されてもよい。また、ＰＥＱ１７０１およびＰＥＱ１７０６は、ＬＰＦ１７０２、遅延回路１７０３、ＨＰＦ１７０５、ＬＰＦ１７０７、遅延回路１７０８、およびＨＰＦ１７１０の特性に応じて生じるピークやディップを補正する。
【００２９】
図５において、ＨＰＦ１７１０は、音信号のうち高い周波数帯域の音信号である第１成分を通過させる第１フィルタの一例であり、ＬＰＦ１７０２は、音信号のうち低い周波数帯域の音信号である第２成分を通過させる第２フィルタの一例であり、ＨＰＦ１７０５およびＬＰＦ１７０７の組み合わせは、音信号のうち中間の周波数帯域の音信号である第３成分（第１成分よりも低くかつ第２成分よりも高い周波数帯域）を通過させる第３フィルタの一例である。なお第３フィルタとしては、ＨＰＦおよびＬＰＦの組み合わせに代えて、ＢＰＦ（Band Pass Filter、帯域通過フィルタ）が用いられてもよい。また、図５の例では音信号をまず高中域と低域とに分割した後、高中域をさらに高域と中域に分割していたが、これを、音信号をまず高域と中低域とに分割した後、中低域をさらに中域と低域に分割する構成に改変してもよい。
【００３０】
遅延回路１７０３および遅延回路１７０８はそれぞれ、低域成分を中域成分に対して遅延させ、中域成分を高域成分に対して遅延させる。遅延回路１７０３および遅延回路１７０８における遅延量は、全体としてハース効果を生じさせる程度の遅延量、具体的には、例えば、高域成分に対する低域成分の遅延が１〜５ｍｓｅｃ以下となる遅延量である。加算器１７１２は、第１成分、第２成分、および第３成分の音信号を加算する加算部の一例である。加算部により加算された音信号は増幅器（図５では略）により増幅され、スピーカ（図５では略）から音として出力される。図５の音処理部１７を用いた電子鍵盤楽器１は、演奏者に対し図２の構成を有する電子鍵盤楽器１が提供する音像に対して、よりアコースティック楽器に近い位置に定位された音像を提供することができる。
【００３１】
２−２．変形例２
図６は、変形例２に係る電子鍵盤楽器１の構成を例示する図である。この例では、鍵盤１２が、それぞれ連続する複数の鍵からなる複数の鍵域、具体的には鍵域１２Ａ、１２Ｂ、１２Ｃ、および１２Ｄの４つの鍵域に分割されている。これらの鍵域はそれぞれ音高が異なっており、鍵域１２Ａの音高が最も低く、鍵域１２Ｄの音高が最も高い。発音制御部１６および音処理部１７は鍵域毎に設けられている。鍵域１２Ａ、１２Ｂ、１２Ｃ、および１２Ｄに対応するものをそれぞれ、添字Ａ〜Ｄを用いて表す。例えば、鍵域１２Ａに含まれる鍵の押鍵に応じて生成された音信号は、音処理部１７Ａに入力される。音処理部１７Ａ〜Ｄの構成は例えば図２で説明したとおりであるが、処理に用いられるパラメーター（具体的には高域の音信号に対する低域の音信号の相対遅延量Δτ）がそれぞれ異なっている。なお図６では図面を簡単にするため１つのチャンネルの処理系のみ示している。
【００３２】
例えば、音処理部１７Ａ〜Ｄにおける相対遅延量ΔτＡ〜Ｄは、
ΔτＡ＞ΔτＢ＞ΔτＣ＞ΔτＤ    …（１）
となるように設定される。なお、鍵盤の押鍵に応じて生成された音信号は、音処理部１７Ａ〜Ｄのうち対応する音処理部において低域の音信号および高域の音信号に分割され、低域の音信号が高域の音信号に対して相対的に遅延するように処理される。各処理部において処理する音信号のうち低域の音信号および高域の音信号をそれぞれ添字ＬおよびＨを用いて表すと、遅延量τは、
τＡＬ＞τＡＨ＞τＢＬ＞τＢＨ＞τＣＬ＞τＣＨ＞τＤＬ＞τＤＨ  …（２）
となるように設定される。音処理部１７で処理された音信号は加算器１９で加算され、増幅器１８で増幅された後、スピーカ１３（スピーカ１４）から音が出力される。
【００３３】
この例によれば、より低域の鍵ほど上方への音像移動の程度を大きくすることができる。低域の鍵はそもそも音高が低いので、聴感上音像がより下方に定位する傾向があるが、本実施形態によれば全ての鍵に一様に処理を行う場合と比較してよりアコースティック楽器に近い位置に定位された音像を提供することができる。なお、分割された複数の鍵域のうち、音像の移動量が少ない鍵域における遅延量はゼロであってもよい。
【００３４】
２−３．変形例３
音源１６１は、複数の楽器（例えば、グランドピアノ、アップライトピアノ、およびチェンバロ）にそれぞれ対応する複数セットの音データを有していてもよい。この場合、各フィルタのカットオフ周波数および遅延回路の遅延量は、楽器の種類（音源の種類）に応じて変えられてもよい。
【００３５】
２−４．他の変形例
音処理部１７の具体的構成は図２および図５に例示したものに限定されない。例えば、音処理部１７は、ＰＥＱを含んでいなくてもよい。各フィルタおよび遅延回路の特性によっては、音源の周波数特性の変化が問題とならないレベルであることもある。このような場合、ＰＥＱは不要である。
【００３６】
音処理部１７において、ＬＰＦおよびＨＰＦに代えてＢＰＦが用いられてもよい。例えば、図２のＨＰＦ１７２に代えてＢＰＦが用いられてもよい。この場合、ＢＰＦの中心周波数およびバンド幅は、高音鍵の倍音成分に応じて決められる。倍音成分がほとんど存在しない高域の音信号は通過しなくてもよい。あるいは、音信号が３帯域に分割して処理される場合において、低域を通過させるＬＰＦ、中域を通過させるＢＰＦ、および高域を通過させるＨＰＦを用いて音信号を分割してもよい。
【００３７】
図２に例示した音処理部１７において、遅延回路１７３は省略されてもよい。また、図５に例示した音処理部１７において、高域の処理系に遅延回路が追加されてもよい。さらに、図２に例示した音処理部１７において、ＰＥＱ１７１はＨＰＦ１７２およびＬＰＦ１７５の前段に配置されていたが、加算器１７８の後段に配置されていてもよい。図５の例においても同様である。要は、２以上の周波数帯域の音信号に分割された音信号が、より低域の音信号ほど遅延するように処理されるのであれば、具体的な回路構成はどのようなものであってもよい。
【００３８】
音処理部１７は、電子鍵盤楽器に用いられるものに限定されない、鍵盤楽器以外の電子楽器、または電子楽器以外の装置における音信号の処理に用いられてもよい。
【符号の説明】
【００３９】
１…電子鍵盤楽器、１１…本体、１２…鍵盤、１３…スピーカ、１４…スピーカ、１５…押鍵センサ、１６…発音制御部、１７…音処理部、１８…増幅器、１９…加算器、１６１…音源、１６２…音信号生成部、１７１…ＰＥＱ、１７２…ＨＰＦ、１７３…遅延回路、１７４…乗算器、１７５…ＬＰＦ、１７６…遅延回路、１７７…乗算器、１７８…加算器、１７０１…ＰＥＱ、１７０２…ＬＰＦ、１７０３…遅延回路、１７０４…乗算器、１７０５…ＨＰＦ、１７０６…ＰＥＱ、１７０７…ＬＰＦ、１７０８…遅延回路、１７０９…乗算器、１７１０…ＨＰＦ、１７１１…乗算器、１７１２…加算器
【図１】
0006733233.tif 000002
【図２】
0006733233.tif 000003
【図３】
0006733233.tif 000004
【図４】
0006733233.tif 000005
【図５】
0006733233.tif 000006
【図６】
0006733233.tif 000007